(57)【要約】【課題】握力の弱い高齢者や女性であってもキャップ開栓の容易さは十分確保するとともに、子供等のいたずらによる取り外しの試みに対しては十分その防止ができるチャイルドレジスタンスリングを提供すること。【解決手段】開口部を備えた口筒部３２を有し、内部に内容物を収納する容器本体３と、口筒部３２を覆い隠すように着脱自在に保持されるキャップ２とからなるキャップ付き容器４に装着可能なチャイルドレジスタンスリングであって、チャイルドレジスタンスリング１は、リング周壁１２の外周面にボタン部１０を有し、ボタン部１０とは反対側のリング周壁１２の内周面に係止リブ１１が突設し、リング周壁１２の内周面下部には係止部材１３が設けられており、キャップ２は外周面には凸リブ２１を突設し、容器本体３は肩部３１に該係止部材１３が係合できる肩部凹部３１ａを形成していることを特徴とするチャイルドレジスタンスリング。【選択図】図３
2018122890.tif 000002
【特許請求の範囲】
【請求項１】
開口部を備えた口筒部（３２）を有し、その内部に内容物を収納する容器本体（３）と、
該口筒部（３２）を覆い隠すように着脱自在に保持されるキャップ（２）とからなるキャップ付き容器（４）に装着可能なチャイルドレジスタンスリングであって、
該チャイルドレジスタンスリング（１）は、リング周壁（１２）の外周面にボタン部（１０）を有し、該ボタン部（１０）とは反対側のリング周壁（１２）の内周面に係止リブ（１１）が突設し、該リング周壁（１２）の内周面下部には係止部材（１３）が設けられており、
該キャップ（２）は、外周面には凸リブ（２１）をローレット状に突設しており、
該容器本体（３）は、肩部（３１）に該係止部材（１３）が係合できる肩部凹部（３１ａ）を形成していることを特徴とするチャイルドレジスタンスリング。
【請求項２】
前記ボタン部（１０）が、前記リング周壁（１２）の対角上に２箇所に設けられ、外周上端部から舌状に外側に垂れている請求項１に記載のチャイルドレジスタンスリング。
【請求項３】
前記係止部材（１３）が、前記リング周壁（１２）の内側方向に弾性変形可能な弾性片（１３ａ）である請求項１又は２に記載のチャイルドレジスタンスリング。
【請求項４】
前記弾性片（１３ａ）が、前記リング周壁（１２）の内周面下部に複数を断続的に設けられ、前記肩部凹部（３１ａ）に該弾性片（１３ａ）が当接する回転止めリブ（３１ｂ）を形成している請求項１〜３のいずれかに記載のチャイルドレジスタンスリング。
【請求項５】
前記係止リブ（１１）は、前記リング周壁（１２）の内周面上部での、前記ボタン部（１０）の略中心部に延在している請求項１〜４のいずれかに記載のチャイルドレジスタンスリング。
【請求項６】
前記ボタン部（１０）は、それぞれ前記リング周壁（１２）の円周方向で９．１ｃｍ以上離間している請求項１〜５のいずれかに記載のチャイルドレジスタンスリング。
【発明の詳細な説明】
【技術分野】
【０００１】
本発明は、子供等がいたずらに容器のキャップを開けることを防止できるチャイルドレジスタンス機能を有するリングに関する。
【背景技術】
【０００２】
従来のキャップ付き容器は、使用したい時に直ぐにキャップを開栓できるように、単純な螺合構造を有するものが多く、キャップの開栓し易さと装着し易さに着眼したものが多かった。しかしながら、このようにキャップの開栓し易さと装着し易さのみに重点をおいたため、結果的にキャップを回転させる操作だけで、誰にでもキャップを簡単に取り外すことができ、内容物の取り出しが自由に行えるようになってしまっている。
【０００３】
使用者が収納又は充填される内容物の特性を十分に理解している通常の使用状況においては、このようなキャップの開栓し易さは便利なものであってなんら問題は無く、とても望ましい形態である。しかしながら、収納又は充填される内容物の特性を十分に理解しえない者でも簡単にキャップ開栓が行えるという懸念点も併せ持つことになる。
【０００４】
すなわち、例えば幼児等の子供が周囲の大人のしぐさをまねて、中身の内容物の危険度を理解しないままに、容器のキャップを開栓し、内容物にいたずらをすることが起こりうる。
【０００５】
こうした問題に対応するために充填する容器又はそのキャップに、子供では容易に開栓できない機能、即ち、所謂チャイルドレジスタンス機能を付与することが求められている。そのとき、このチャイルドレジスタンス機能のためキャップ等に対して行われる操作は、従来容器におけるキャップ開栓操作に比べ、複雑になり過ぎず、子供らのいたずらによる開栓の試みに対しては十分その防止ができ、従来のキャップの開栓の容易さは十分確保しているものが好ましい。
【０００６】
このチャイルドレジスタンス機能を有する容器は、例えば、特許文献１に開示されている。特許文献１では、内キャップの外周に逆止歯列を設け、外キャップにつめ部を有する弾性開栓操作部を設け、外キャップを開栓方向に回転する時に弾性開栓操作部を押圧しつめ部と逆止歯列を噛み合わせて回転することで開栓できることが開示されている。しかしながら、このような２重キャップにおいて外キャップを押圧して開栓させる機構では、つめ部への押圧を通じて内キャップが容器側に押し付けられることで開栓トルクが上がり開栓し難くなる虞れがあり、また、片手で特定の箇所を押圧しながらの回転させる２つの動作の組み合わせての開栓は、手の構造上から通常のキャップ開栓以上に握力を必要とするため、握力の弱い高齢者や女性には開栓が困難であるという課題があった。
【先行技術文献】
【特許文献】
【０００７】
【特許文献１】特開２００３−１０４４０８号公報
【発明の概要】
【発明が解決しようとする課題】
【０００８】
本発明の目的は、上記した従来の問題を解決することであり、握力の弱い高齢者や女性であっても従来と同等のキャップ開栓の容易さは十分確保するとともに、子供等のいたずらによる取り外しの試みに対しては十分その防止ができるチャイルドレジスタンスリングを提供することである。
【課題を解決するための手段】
【０００９】
上記課題を解決するため、本発明のチャイルドレジスタンスリングの主たる構成は、
開口部を備えた口筒部を有し、その内側に内容物を収納する容器本体と、
該口筒部を覆い隠すように着脱自在に保持されるキャップとからなるキャップ付き容器に装着可能なチャイルドレジスタンスリングであって、
該チャイルドレジスタンスリングは、リング周壁の外周面にボタン部を有し、該ボタン部とは反対側のリング周壁の内周面に係止リブが突設し、該リング周壁の内周面下部には係止部材が設けられており、
該キャップは、外周面には凸リブをローレット状に突設しており、
該容器本体は、肩部に該係止部材が係合できる肩部凹部を形成していることを特徴とする。
【００１０】
上記主たる構成では、キャップがチャイルドレジスタンスリングを介して容器本体に固定状態となるため、開栓することができないチャイルドレジスタンス機能を十分に発揮することができる。また、チャイルドレジスタンスリングのボタン部を押圧するとチャイルドレジスタンス機能は解除されるので、握力の弱い高齢者や女性であってもキャップ開栓は容易に行うことができる。
【００１１】
また、本発明の他の構成は、ボタン部がリング周壁の対角上に２箇所に設けられ、外周上端部から舌状に外側に垂れているものである。
【００１２】
ボタン部がリング周壁の対角上に２箇所に設けられており、片手で両ボタン部を押圧し、もう片方の手でキャップを開栓するため、従来の２重キャップの片手だけでの開栓とは異なり開栓時に必要な力を両方の手に分散することができるため、握力の弱い高齢者や女性であっても容易に開栓することが可能である。また、ボタン部が舌状に外側に垂れているため押圧時に力を掛け易い。
【００１３】
また、本発明の他の構成は、係止部材がリング周壁の内側方向に弾性変形可能な弾性片であるというものである。
【００１４】
係止部材が容易に弾性変形可能な弾性片であるため、キャップ付き容器にチャイルドレジスタンスリングをセットする際、力の弱い高齢者や女性であっても容易にセットすることができる。
【００１５】
また、本発明の他の構成は、弾性片がリング周壁の内周面下部に複数を断続的に設けられ、肩部凹部に弾性片が当接する回転止めリブを形成しているものである。
【００１６】
弾性片が断続的に形成されているため、キャップ付き容器にチャイルドレジスタンスリングを装着する際に、特に位置合わせしなくても、弾性片により回転止め機能を発揮させることが可能である。
【００１７】
更に、本発明の他の構成は、係止リブがリング周壁の内周面上部におけるボタン部の略中心部に延在しているものである。
【００１８】
係止リブがリング周壁の内周上部におけるボタン部の略中心部に延在しているため、ボタン部を押圧することで、係止リブが凸リブ間から外れてチャイルドレジスタンスリング機能を解除することが可能である。
【００１９】
更に、本発明の他の構成は、ボタン部はそれぞれリング周壁の円周方向で９．１ｃｍ以上離間しているものである。
【００２０】
ボタン部がリング周壁の円周方向で９．１ｃｍ以上離間していると、４歳児以下の幼児では２つのボタン部を共に押圧に対することが困難となるため、チャイルドレジスタンス機能を十分発揮される。
【発明の効果】
【００２１】
本発明は、上記した構成となっているので、以下に示す効果を奏する。
本発明の主たる構成においては、キャップがチャイルドレジスタンスリングを介して容器本体に固定状態となるため、開栓することができないチャイルドレジスタンス機能を発揮することができる。
また、片手で両ボタン部を押圧し、もう片方の手でキャップを開栓するため、開栓時に必要な力を分散することができ、握力の弱い高齢者や女性であっても容易に開栓することが可能である。
【図面の簡単な説明】
【００２２】
【図１】本発明のチャイルドレジスタンスリングとキャップ付き容器の外観図である。
【図２】チャイルドレジスタンスリングの底面図（ａ）、ボタン部方向からの側面図（ｂ）である。
【図３】本発明のチャイルドレジスタンスリングのセット方法の部分縦断面図である。
【図４】本発明のチャイルドレジスタンスリングのセット時での上面図（ａ）、部分縦断面図（ｂ）である。
【図５】図４（ｂ）でのＡ−Ａ横断面図である。
【図６】本発明のチャイルドレジスタンスリングの解除時の概略説明図である。
【図７】本発明のチャイルドレジスタンスリングの解除時での上面図（ａ）、部分縦断面図（ｂ）である。
【発明を実施するための形態】
【００２３】
以下、本発明の実施形態について図面を参照しつつ説明する。
図１に示すように、本発明のチャイルドレジスタンスリング１は、容器本体３の口筒部３２に着脱自在に保持されるキャップ２を備えたキャップ付き容器４に装着可能である。容器本体３の内容物としては特に限定されないが、特に内容物が医薬品である場合にチャイルドレジスタンス機能を付与する要望が高い。これは、日本の４歳児以下の幼児の約３０％以上が、ひらがなで「くすり」と記載してあっても、「くすり」の特性を理解できずに誤飲する虞れのためである。
【００２４】
チャイルドレジスタンスリング１は、リング周壁１２の外周上端部から舌状に外側に垂れ図１に示されるように縦断面で逆レ字状のボタン部１０、１０が対角（１８０度毎）に２箇所設けられ、このボタン部１０とは反対側のリング周壁１２の内周面上部には係止リブ１１が突設している。係止リブ１１は、ボタン部１０の略中心部に延在しており、内周上端部からテーパー状に拡径する部分が設けられている。リング周壁１２の内周面下部には、後述する容器本体３と係合するための係止部材１３が設けられている。係止部材１３としては、アンダーカット状に係止する方法などがあるが本実施形態では、リング周壁１２の内側方向に弾性変形可能な弾性片１３ａが設けられている。弾性片１３ａはリング周壁１２の内周面下部に、スカート状の連続的に形成、又は複数の弾性片１３ａを断続的に形成することができ、後述する回転止めリブ３１ｂと組み合わせて回転止め機能を発揮させるためには複数の弾性片１３ａを断続的に形成する方が好ましい。
【００２５】
上記実施形態ではボタン部１０、１０の中心部は、それぞれリング周壁１２の円周方向で９．１ｃｍ以上離間している。これは、４歳児の第１指先から第２指先の距離が９．１ｃｍという知見から、９．１ｃｍ以上離間していれば、４歳児以下の幼児では２つのボタン部を共に押圧に対することが困難となるため、チャイルドレジスタンス機能を十分発揮されるため好ましい。
【００２６】
キャップ２は、後述する容器本体３の口筒部３２に取り付けられるポリエチレンやポリプロピレン等の合成樹脂製の射出成形により一体成形された部材である。キャップ２のキャップ周壁２０の外周面には、開栓時の滑り止めを兼ねたローレット状の凸リブ２１が突設しており、一方、内周面には口筒部３２の雄ネジ部３３に外装螺合する雌ネジ部２２が刻設されている。そしてキャップ２の頂壁２３の下面には、口筒部３２の内周面に密に接して気密性を高める短円筒状のシール筒片２４を垂下設している。
【００２７】
容器本体３は、内部に内容物を収納する円筒状の胴部３０の上方に縮径した肩部３１を介して、開口部を備えた口筒部３２を起立連設している。肩部３１の下部には略全周亘って窪んだ肩部凹部３１ａが設けられ、係止部材１３と係合してチャイルドレジスタンスリング１を係止する。この肩部凹部３１ａには係止部材１３である弾性片１３ａが当接してチャイルドレジスタンスリング１が回転するのを防止する回転止めリブ３１ｂ、３１ｂを対角（１８０度毎）に２箇所設けている。口筒部３２の外周面には雄ネジ部３３が刻設され、キャップ２で口筒部３２を覆い隠すように雌ネジ部２２と螺合され、キャップ２は容器本体３から着脱自在な構成となる。
【００２８】
次に、このように構成されたチャイルドレジスタンスリング１の作用について説明する。
図１と図３を用いて、容器本体３の口筒部３２にキャップ２が保持されているキャップ付き容器４に、チャイルドレジスタンスリング１のセット方法を説明する。
まず初めに、図１や図３（ａ）に示されるように、チャイルドレジスタンスリング１をキャップ付き容器４の上方に配置する。なお、チャイルドレジスタンスリング１が僅かに回転しても直ぐに回転止めリブ３１ｂに当接できるように弾性片１３ａが断続的に形成されているため、それぞれを位置合わせする必要はない。
【００２９】
図３（ｂ）に示されるように、チャイルドレジスタンスリング１が下降していくと、弾性片１３ａがキャップ周壁２０に当接し、弾性片１３ａは上方に曲がるように弾性変形する。
【００３０】
次に、図３（ｃ）に示される、チャイルドレジスタンスリング１が最後まで下降した最終姿勢となると、弾性片１３ａは肩部凹部３１ａに入り込み、肩部凹部３１ａが窪んでいるため弾性片１３ａは若干下向きに復元した状態で弾性変形している。弾性片１３ａの先端は肩部凹部３１ａの外周面に当接しているため、チャイルドレジスタンスリング１が上方にズレ上がっても、弾性片１３ａが肩部凹部３１ａの上部屈曲部に突っ支い棒状に当接することで、チャイルドレジスタンスリング１がキャップ付き容器４からの抜け防止効果を発揮する。
【００３１】
なお、このチャイルドレジスタンスリング１が最後まで下降した最終姿勢では、図４（ａ）に示されるように、係止リブ１１は凸リブ２１、２１間に収まるような構成で係止状態となる。
【００３２】
そして、この最終姿勢でキャップ２を回転させようとすると、チャイルドレジスタンスリング１も共に回転するが、直ぐに弾性片１３ａが回転止めリブ３１ｂに当接する（図５参照）。
【００３３】
このような構成によって、図４に示されるような最終姿勢では、キャップ２の凸リブ２１、２１間に係止リブ１１が収まり係止状態であるため、キャップ２とチャイルドレジスタンスリング１は一緒に回転する状態となるものの、チャイルドレジスタンスリング１は弾性片１３ａが回転止めリブ３１ｂに当接して回転不能となって容器本体３に固定状態となる。つまり、キャップ付き容器４は、キャップ２がチャイルドレジスタンスリング１を介して容器本体３に固定状態となっているため、開栓することができないチャイルドレジスタンス状態となっている。
【００３４】
次に、チャイルドレジスタンス状態を解除して開栓する方法を説明する。
図６に示されるように、一方の片手でチャイルドレジスタンスリング１の２箇所のボタン部１０、１０を共に押圧した状態で、他方の片手で通常通りにキャップ２を回転させる。舌状に外側に垂れたボタン部１０、１０が内側方向に押圧されたことで、図７に示されるように、ボタン部１０基部のリング周壁１２が逆ハ字状に外側に拡径するように変形し、この変形に伴い係止リブ１１も外側に変位して凸リブ２１、２１間から外れる。係止リブ１１が外れたことによって、チャイルドレジスタンス機構が解除されキャップ２を回転させることが出来るようになり、キャップ２を開栓することが可能となる。
【００３５】
このように本発明のチャイルドレジスタンスリング１を用いれば、片手でボタン部１０、１０を押圧し、もう片方の手でキャップ２を開栓するため、従来の２重キャップの片手だけでの開栓とは異なり開栓時に必要な力を両方の手に分散することができるため、握力の弱い高齢者や女性であっても容易に開栓することが可能である。
【００３６】
更に、口筒部径の大きいキャップ付き容器４にチャイルドレジスタンスリング１を取り付けることで、手の小さい子供が２箇所のボタン部１０、１０を共に押圧しながら、キャップ２を回転させることが物理的に出来なくすることが可能である。
【００３７】
また、通常はキャップ付き容器４を販売して、チャイルドレジスタンス機能が必要な人に対して、別途チャイルドレジスタンスリング１を別売り販売とすることもでき、セット方法も位置合わせ不要でキャップ付き容器４の上方から被せるだけで容易に行える。
【００３８】
以上、実施例に沿って本発明の構成とその作用効果について説明したが、本発明の実施の形態は上記実施形態に限定されるものではない。
例えば上記実施形態の容器本体３において、回転止めリブ３１ｂを対角上の１８０度毎の２箇所にしか設けていないが、９０度毎の４箇所など金型割りで作製可能な数であれば構わない。
また、上記実施形態では、係止リブ１１を各ボタン部１０の略中心部に延在するように１箇所にしか設けていないが、係止リブ１１を複数設けてそれぞれが凸リブ２１、２１間に収まるようにして、キャップ２とチャイルドレジスタンスリング１をより強固に係止させても構わない。
【産業上の利用可能性】
【００３９】
以上説明したように、本発明によれば、子供等によるいたずらを防止するためのチャイルドレジスタンス機能を有する容器分野における用途展開をさらに広い領域で図ることができる。
【符号の説明】
【００４０】
１    ；チャイルドレジスタンスリング
２    ；キャップ
３    ；容器本体
４    ；キャップ付き容器
１０  ；ボタン部
１１  ：係止リブ
１２  ；リング周壁
１３  ；係止部材
１３ａ；弾性片
２０  ；キャップ周壁
２１  ；凸リブ
２２  ；雌ネジ部
２３  ；頂壁
２４  ；シール筒片
３０  ；胴部
３１  ；肩部
３１ａ；肩部凹部
３１ｂ；回転止めリブ
３２  ；口筒部
３３  ；雄ネジ部
【図１】
2018122890.tif 000003
【図２】
2018122890.tif 000004
【図３】
2018122890.tif 000005
【図４】
2018122890.tif 000006
【図５】
2018122890.tif 000007
【図６】
2018122890.tif 000008
【図７】
2018122890.tif 000009